(57)【要約】【課題】  他の重量特性を維持しつつも、シャフト軸から重心までの距離およびシャフト軸周りの慣性モーメント等、特定の特性を変化させることができるウッドゴルフクラブおよびゴルフクラブを提供する。【解決手段】  ヘッド部本体５１と、ヘッド部本体５１に設けられるシャフト９の軸線Ｏとヘッド部本体５１の重心Ｇとにより規定される平面Ｐとヘッド部本体５１のソール部４およびサイド部８との交線Ｒ上のトウ部５側およびヒール部２側にそれぞれ配置された重り１１，１２とを備える。【選択図】        図１
2006288882.tif 000002
【特許請求の範囲】
【請求項１】
ヘッド部本体（５１）と、
前記ヘッド部本体（５１）に接続されるシャフト（９）の軸線（Ｏ）と前記ヘッド部本体（５１）の重心（Ｇ）とにより規定される平面（Ｐ）と前記ヘッド部本体（５１）との交線（Ｒ）上のトウ部（５）側およびヒール部（２）側にそれぞれ配置された重り（１１，１２）と、
を備えたウッドクラブヘッド。
【請求項２】
前記重り（１１、１２）は、前記交線（Ｒ）上のトウ部（５）側のサイド部（８）およびヒール（２）側のソール部（４）に配置された、請求項１に記載のウッドクラブヘッド。
【請求項３】
ヘッド部本体（５１Ａ）と、
前記ヘッド部本体（５１Ａ）に接続されるシャフト（９）の軸線（Ｏ１）と前記ヘッド部本体（５１Ａ）の重心とにより規定される第１平面（Ｐ１）と平行な平面であって、前記第１平面（Ｐ１）からバック部（７）側へ２５ｍｍの範囲内に位置する第２平面（Ｐ２）と、前記ヘッド部本体（５１Ａ）との交線上のトウ部（５）側またはヒール（２）部側にそれぞれ配置された重り（１１，１２）と、
を備えたウッドクラブヘッド。
【請求項４】
前記重り（１１、１２）は、前記交線上の前記トウ部（５）側のサイド部（８）および前記ヒール部（２）側のソール部（４）に配置された、請求項２に記載のウッドクラブヘッド。
【請求項５】
請求項１から請求項４のいずれかに記載のウッドクラブヘッドを備えた、ゴルフクラブ。
【発明の詳細な説明】
【技術分野】
【０００１】
本発明は、ウッドヘッドクラブおよびそれを備えたゴルフクラブに関する。
【背景技術】
【０００２】
ゴルファーのインパクト直前の手首の動きには大きく二つのグループがあることが知られている。すなわち、インパクトの直前に急激に手首を返す、所謂ためを作るグループと、スイングのトップからインパクトにかけて緩やかに手首を返すグループである。
【０００３】
この二つのグループはゴルファーの技術的な熟練度や体力的なスキル（すなわちヘッドスピード）とは無関係に存在する。また、急激に手首を返すタイプのゴルファーには、クラブのコントロール性を高くするためにシャフト軸周りのゴルフクラブの慣性モーメントを小さくする（ヘッドにおいては、シャフト軸心とヘッド重心の距離（＝以下重軸距離と表す）を短くする）方が好ましく、緩やかに手首を返すタイプのゴルファーには、インパクト時のフェースの向きのばらつきを抑えるためにシャフト軸周りのゴルフクラブの慣性モーメントを大きくする（ヘッドにおいては、重軸距離を長くする）方が好ましいことが知られている。
【０００４】
ところが、従来は熟練者は手首を急激に返し、初心者は手首を緩やかに返すとの認識により、重軸距離が短いものは、ロフトは小さく、スイートエリアは狭く、重心は高めの上級者向けといわれるヘッドに多く設定され、重軸距離が長いものは、ロフトは大きく、スイートエリアは広く、重心は低めの初級者向けといわれるヘッドに多く設定されており、個々のゴルファーに適したクラブが揃うわけではなかった。
【０００５】
そこで、従来から、特にウッドクラブヘッドにおいては、ヘッド部のトウサイドやヒールサイド部に重りを添付して重軸距離を調整する試みがなされていた。
【０００６】
また、重心位置や慣性モーメントの大きさ等を調整する目的で、ウッドクラブヘッドの特定の部位に重りを配置することも行われている。例えば特開２００１−５９７号公報には、慣性主軸の傾斜を角度の制御を目的としているが、ウッドクラブヘッドのトウ部のサイド部にトウ先ウェイト部材を設け、ソール部のバック部やヒール部の近くにソールバックセンタウェイト部材を設けたゴルフクラブが記載されている。
【特許文献１】特開２００１−５９７号公報
【発明の開示】
【発明が解決しようとする課題】
【０００７】
しかし、上記従来のゴルフクラブによれば、ウエイトを設けることにより、目的とする重軸距離以外のヘッド特性、例えば上下方向、左右方向の慣性モーメントの値や、重心高さや重心深度も同時に変動してしまい、手首の返しに関わるゴルフクラブのコントロール性には満足が出来ても、調整前のクラブ性能、例えばスイートエリアの広さや打球の飛びだし角度、弾道の高さ等の性能が重軸距離の調整前とは異なるという問題を有していた。
【０００８】
本発明は、上記課題に鑑みてなされたものであり、その目的は、他の特性の変動を抑えながら、重軸距離およびこれに影響されるシャフト軸周りのヘッドの慣性モーメントのみを大きく変化させることができるウッドクラブヘッドおよびゴルフクラブヘッドを提供することである。
【課題を解決するための手段】
【０００９】
本発明に係るウッドクラブヘッドは、１つの局面では、ヘッド部本体と、ヘッド部本体に接続されるシャフトの軸線とヘッド部本体の重心とにより規定される平面とヘッド部本体との交線上のトウ部側およびヒール部側にそれぞれ配置された重りとを備える。好ましくは、重りは、交線上のトウ部側のサイド部およびヒール側のソール部に配置される。好ましくは、ヘッド部本体と、ヘッド部本体に接続されるシャフトの軸線とヘッド部本体の重心とにより規定される第１平面と平行な平面であって、第１平面からバック部側へ２５ｍｍの範囲内に位置する第２平面と、ヘッド部本体との交線上のトウ部側またはヒール部側にそれぞれ配置された重りとを備える。好ましくは、重りは、交線上のトウ部側のサイド部およびヒール部側のソール部に配置される。本発明に係るゴルフヘッドクラブは、１つの局面では、上記ウッドクラブヘッドを備える。
【発明の効果】
【００１０】
本発明に係るウッドクラブヘッドおよびそのゴルフクラブによれば、シャフト軸から重心までの距離およびシャフト軸周りの慣性モーメントを調整することができると共に、調整の前後において他の特性を維持することができる。
【発明を実施するための最良の形態】
【００１１】
図１から図６を用いて、本実施の形態に係るゴルフクラブヘッドおよびゴルフクラブについて説明する。
【００１２】
図１は、本実施の形態に係るウッドフクラブヘッドの斜視図である。この図１に示されるように、ゴルフクラブ１は、ウッドクラブヘッド５０と、このウッドクラブヘッド５０に連設されたシャフト９とを備えている。
【００１３】
図２は、ウッドクラブヘッド５０の斜視図である。この図２に示されるように、ウッドクラブヘッド５０は、ヘッド部本体５１と、ヘッド部本体５１に設けられた重り１１、１２とを備えている。ヘッド部本体５１は、図１に示すように、ヒール部２と、フェース部３と、ソール部４と、トウ部５と、クラウン部６と、バック部７と、サイド部８とを備えている。このヘッド部本体５１は、外殻構造を有しており、中空状に形成されている。また、このヘッド部本体５１は、典型的には、Ｔｉ−６Ａｌ−４Ｖに代表されるα−β系チタン合金、Ｔｉ−１５Ｖ−３Ｃｒ−３Ｓｎ−３Ａｌに代表されるβ系チタン合金により形成されているが、これ以外にも、純チタン、アルミ合金、軟鉄、ステンレス合金およびベリリウムカッパーなどの素材を単一または組み合わせた材料により形成されている。
【００１４】
図２に示す重り１１の質量と、重り１２との質量との合計は、一定とされており、ウッドクラブヘッド５０の質量は、一定に維持されている。図３は、シャフト９の軸線Ｏとヘッド部本体５１の重心Ｇとにより規定される平面Ｐと、ヘッド部本体５１の外殻の外周縁部との交線を示した図である。この図３において、平面Ｐは、シャフトの軸線Ｏと、ヘッド部本体５１の重心Ｇとにより規定されており、また、１点鎖線により示される交線Ｒは、平面Ｐと、ヘッド部本体５１の交線である。そして、この交線Ｒのトウ部５側のサイド部８の位置Ｑ１に図２に示す重り１１が配置されており、ヒール部２側のソール部４の位置Ｑ２に図２に示す重り１２が配置されている。なお、図３において、重心Ｇと、位置Ｑ１と、位置Ｑ２とは、一直線上に配置されているのが好ましいが、ヘッド部本体５１の形状によっては、位置Ｑ１および位置Ｑ２は、交線Ｒに沿って僅かにずれた位置に配置してもよい。
【００１５】
そして、図２に示されるように、ヘッド部本体５１には、図３に示す位置Ｑ１および位置Ｑ２の位置に、重り１１、１２が収納される収納部１１ａ、１２ａが形成されている。この収納部１１ａ、１２ａ内に重り１１、１２が着脱可能に配置される。
【００１６】
図４は、ウッドクラブヘッド５０のシャフトの軸線Ｏに垂直な平面に、ウッドクラブヘッド５０のソール側を投影した図である。この図４に示されるように、重り１１は、平面Ｐ１とヘッド部本体５１との交線上であって、トウ部５側のサイド部８およびヒール部２側のソール部４に配置されている。この図４において、平面Ｐと、ヘッド部本体５１のバック部７との距離は、５５ｍｍ程度とされている。
【００１７】
図５は、図４に示されたウッドクラブヘッド５０の第１変形例を示した図であり、シャフトの軸線Ｏ１に垂直な平面に、ウッドクラブヘッド５０Ａのソール側を投影した図である。この図５に示されるように、このウッドクラブヘッド５０Ａは、ヘッド部本体５１Ａと、重り１１、１２とを備えている。そして、ヘッド部本体５１Ａに設けられるシャフトの軸線Ｏ１とヘッド部本体５１Ａの重心Ｇ１とにより規定される平面（第１平面）Ｐ１に対して平行な平面であって、平面Ｐ１からバック部７側へ１５ｍｍ離間の位置に配置された平面（第２平面）Ｐ２と、ヘッド部本体５１Ａのサイド部８およびソール部４との交線上に重り１１、１２が配置されている。そして、重り１１は、平面Ｐ２とヘッド部本体５１との交線上のうち、トウ部５側のサイド部８の位置に配置されている。また、重り１２は、平面Ｐ２とヘッド部本体５１との交線上のうち、ヒール部２側のソール部４の位置に配置されている。
【００１８】
図６は、図４に示されたウッドクラブヘッド５０の第２変形例を示した図であり、シャフトの軸線Ｏ１に垂直な平面に、ウッドクラブヘッド５０Ｂのソール側を投影した図である。この図６に示すように、このウッドクラブヘッド５０Ｂにおいては、平面Ｐ２は、平面Ｐ１からバック部７側に３０ｍｍ離間した位置に配置されている。そして、重り１１は、平面Ｐ２とヘッド部本体５１との交線のうち、トウ部５側のサイド部８の位置に配置されている。また、重り１２は、平面Ｐ２とヘッド部本体５１との交線上のうち、ヒール部２側のソール部４の位置に配置されている。
【００１９】
なお、本実施の形態に係るウッドクラブヘッド５０、５０Ａ、５０Ｂは、重り１１、１２が収納される収納がそれぞれ１箇所づつ形成されているが、これに限られない。例えば、図５において、収納部１１ａ，１２ａは、平面Ｐ１とヘッド部本体５１Ａのサイド部８およびソール部４との交線上と、平面Ｐ１から離間した位置に配置された平面Ｐ２とヘッド部本体５１Ａのサイド部８およびソール部４との交線上とにそれぞれ複数箇所に形成されてもよい。
【００２０】
下記表１は、ウッドクラブヘッド５０と、平面Ｐ１と平面Ｐ２との距離を１５ｍｍ、３０ｍｍ、４０ｍｍとしたウッドクラブヘッド５０Ａについて、ヘッド質量と、ＵＤ慣性モーメント（上下方向の慣性モーメント）と、ＴＨ慣性モーメント（トウ部−ヒール部方向の慣性モーメント）と、Ｇ高さ（重心高さ）と、重軸距離と、Ｇ深度（重心深度）と、シャフト軸回りの慣性モーメントとについて測定した測定結果を示す表である。
【００２１】
ここで、重心深度とは、図４において、ウッドクラブヘッド５０のフェース部３から重心Ｇまでの距離のことである。また、シャフト慣性Ｍとは、シャフトの軸線周りの慣性モーメントを意味する。
【００２２】
そして、重り１１、１２の質量の和を一定として、重り１１の質量を１２．５ｍｇとし、重り１２の質量を２．５ｍｇとして場合と、重り１１の質量を２．５ｍｇと重り１２の質量を１２．５ｍｇとした場合とについて、各測定を行なった。なお、比較のために、重り１１と１２に各々７．５ｇの質量配分を行った場合のウッドクラブヘッドのスペックも測定した。その結果を表１の等質量配分の欄に記載した。
【００２３】
【表１】
2006288882.tif 000003
【００２４】
上記表１に示されるように、ウッドクラブヘッド５０と、平面Ｐ１と平面Ｐ２との距離が１５ｍｍ、３０ｍｍとされたウッドクラブヘッド５０Ａとは、重り１１および重り１２の質量配分を入れ替えることにより、重軸距離を長くしたり、短くしたりすることができる。また、ウッドクラブヘッド５０と、平面Ｐ１と平面Ｐ２との距離が１５ｍｍ、３０ｍｍとされたウッドクラブヘッド５０Ａとは、重軸距離と同様に、シャフト軸周りの慣性モーメントを調整することができることが分かる。これにより、ボールの返り易さおよび、ボールの捕まり度合いを使用者に合わせて変動させることができる。
【００２５】
図７は、重り１１と重り１２との質量分配を入れ替えたときのウッドクラブヘッド５０、５０Ａの各特性の変化割合を示すグラフである。この図７に示されたグラフにおいては、横軸に平面Ｐ１と平面Ｐ２との距離をとり、縦軸に各特性の変化割合がとられている。
【００２６】
ここで、一般的なドライバー用ゴルフクラブヘッドの重軸距離は、２５ｍｍから４０ｍｍ程度の範囲のものが多いが、特に２８ｍｍから３２ｍｍのものが多い。そして、このような一般的なドライバー用ゴルフクラブヘッドを備えたゴルフクラブについて、重軸距離を変えて、官能試験を行なった結果、使用者は、打球時のゴルフクラブのコントロール性の違いを認識するには、３ｍｍ以上の差が必要であることが分かった。これは、図５に示されたウッドクラブヘッド５０Ａにおいては、約１０％の差となる。そして、図７に示されるように、重軸距離に１０％以上の差が生じる範囲は、平面Ｐ１と平面Ｐ２との距離が０ｍｍ以上２５ｍｍ程度であることが分かる。
【００２７】
また、図７に示されるように、平面Ｐ１と平面Ｐ２との距離が０ｍｍ以上２５ｍｍ以下の範囲においては、上下方向、左右方向の慣性モーメントの値や、重心高さや重心深度の変動が小さく抑えられており、スイートエリアの広さや打球の飛びだし角度、弾道の高さ等の性能の変動が抑制されていることが分かる。
【００２８】
その一方で、平面Ｐ１と平面Ｐ２との距離が３０ｍｍ近傍を越えるあたりで、シャフト軸慣性モーメントが、急激に減少することが分かる。また、上下方向の慣性モーメントは、２０ｍｍ近傍を越えるあたりから急激に上昇することが分かる。
【００２９】
すなわち、図５において、平面Ｐ２は、平面Ｐ１からバック部７側に０ｍｍ以上２５ｍｍ以下の範囲内の位置に配置するのが好ましい。そして、重り１２は、このような範囲に配置され平面Ｐ２と、ヘッド部本体５１との交線であって、ヒール部２側のソール部４の位置に配置し、重り１１は、平面Ｐ２と、ヘッド部本体５１との交線であって、トウ部５側のサイド部８に配置するのが好ましい。さらに、好ましくは、平面Ｐ２は、平面Ｐ１からバック部７側に０ｍｍ以上２０ｍｍ以下の範囲内の位置に配置するのが好ましい。
【００３０】
そして、表１に示されるように、平面Ｐ１と平面Ｐ２との距離が１５ｍｍとされたウッドクラブヘッド５０Ａにおいては、重り１１および重り１２の質量配分を入れ替えた場合においても、上下方向の慣性モーメントおよび重心高さの変動が小さく抑えられており、他の特性の変動も小さく抑えられている。このため、重り１１および重り１２の質量配分を変動させた場合においても、弾道高さの変動等を抑制することができる。そして、図７において、平面Ｐ１と平面Ｐ２との距離が１５ｍｍの近傍を超えると、重心高さが急激に減少することから、平面Ｐ２は、平面Ｐ１からバック部７側に０ｍｍ以上１５ｍｍ以下の範囲内の位置に配置するのが好ましい。
【００３１】
このような範囲内に重り１１、１２を配置することにより、ウッドクラブヘッド５０の重軸距離を調整することができ、ボールの返り易さおよび、ボールの捕まり度合いを、使用者が認識できる程度明確に調整することができる。さらに、重軸距離の調整前後において、スイートエリアの広さや打球の飛びだし角度、弾道の高さ等の性能の変動を抑制することができる。
【００３２】
なお、重り１２がシャフトの軸線Ｏの近傍に配置されると、シャフトと、重り１２とが干渉する場合がある。このため、重り１１、１２は、平面Ｐ１から僅かに離間した位置に配置された平面Ｐ２と、ソール部４とサイド部８との交線上に配置され、トウ部５側とヒール部２側に配置されているのが好ましい。
【００３３】
また、重り１１、１２は、ヘッド部本体５１に着脱可能に設けられているため、重り１１、１２の質量の組み合わせを選択することにより、ボールの返り易さおよび、ボールの捕まり度合いを使用者に合わせて調整することができる。なお、重り１１、１２の収納部１１ａ，１２ａが複数形成された場合には、重り１１、１２を収納する位置および、重り１１、１２の質量の組み合わせとにより多様な調整を行なうことができる。
【００３４】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００３５】
本発明は、ウッドクラブヘッドおよびゴルフクラブに好適である。
【図面の簡単な説明】
【００３６】
【図１】本実施の形態に係るウッドフクラブヘッドの斜視図である。
【図２】ウッドクラブヘッドの斜視図である。
【図３】平面Ｐと、ヘッド部本体の外殻の外周縁部との交線を示した図である。
【図４】ウッドクラブヘッドのシャフトに垂直な平面に、ウッドクラブヘッドのソール側を投影した図である。。
【図５】図４に示されたウッドクラブヘッドの第１変形例を示す図である。
【図６】図４に示されたウッドクラブヘッドの第２変形例を示す図である。
【図７】重りと重りとの質量分配を入れ替えたときのウッドクラブヘッドの各特性の変化割合を示すグラフである。
【符号の説明】
【００３７】
１  ゴルフクラブ、２  ヒール部、３  フェース部、４  ソール部、５  トウ部、６  クラウン部、６ａ  クラウン部材、７  バック部、８  サイド部、９  シャフト、１１ａ、１２ａ  収納部、５０  ウッドクラブヘッド、５１  ヘッド部本体、Ｐ  平面。
【図１】
2006288882.tif 000004
【図２】
2006288882.tif 000005
【図３】
2006288882.tif 000006
【図４】
2006288882.tif 000007
【図５】
2006288882.tif 000008
【図６】
2006288882.tif 000009
【図７】
2006288882.tif 000010